(57)【特許請求の範囲】
【請求項１】
取付軸を有し、電源を収容可能な本体部材と、
ブラシ毛が植えられた植毛部分を有し、前記取付軸に取り付けることおよび前記取付軸から取り外すことが可能な清掃部材と、
前記取付軸のうちの前記清掃部材に覆われる部分に設けられ、前記植毛部分に向けて光を照射する光源と、
前記清掃部材のうちの前記取付軸の周囲を覆う部分である外壁部分において前記植毛部分と前記光源との間に設けられ、前記外壁部分よりも透過率が高い材料により形成される透光部材とを備える
電動歯ブラシ。
【請求項２】
前記光源の光を前記透光部材に向けて反射する反射部材をさらに備える
請求項１に記載の電動歯ブラシ。
【請求項３】
前記本体部材に設けられる振動源である振動発生装置をさらに備え、
前記振動発生装置の少なくとも一部は前記取付軸内に配置される
請求項１または２に記載の電動歯ブラシ。
【請求項４】
前記光源は前記取付軸のうちの前記振動発生装置よりも前記植毛部分に近い部分に配置される
請求項３に記載の電動歯ブラシ。
【請求項５】
前記透光部材は、前記ブラシ毛の中心軸および前記本体部材の中心軸と平行な断面である側断面において前記本体部材の中心線に対して前記ブラシ毛の先端部分が含まれる側である本体前側に設けられる
請求項１〜４のいずれか一項に記載の電動歯ブラシ。
【請求項６】
前記本体部材側から前記植毛部分側に向かうにつれて前記本体部材の中心線に近づくように傾斜する前側傾斜部分が前記外壁部分のうちの前記本体前側の部分に設けられる
請求項５に記載の電動歯ブラシ。
【請求項７】
前記植毛部分のうちの前記ブラシ毛が設けられる面である植毛面は、前記ブラシ毛の中心軸および前記本体部材の中心軸と平行な断面である側断面において前記本体部材の中心線に対して前記ブラシ毛の先端部分が含まれる側である本体前側に設けられる
請求項１〜６のいずれか一項に記載の電動歯ブラシ。
【請求項８】
前記清掃部材を覆うキャップをさらに備え、
前記キャップのうちの前記ブラシ毛の先端面に対向する部分に換気孔が形成される
請求項１〜７のいずれか一項に記載の電動歯ブラシ。
【発明の詳細な説明】
【技術分野】
【０００１】
本発明は、電源を収容可能な本体部材と、ブラシ毛が植えられた植毛部分を有し、本体部材に取り付けることおよび本体部材から取り外すことが可能な清掃部材とを備える電動歯ブラシに関する。
【背景技術】
【０００２】
上記電動歯ブラシとして、特許文献１に記載のものが知られている。
この電動歯ブラシの本体部材の内部には、歯の清掃時に口腔内を照らすための光源が設けられている。
【先行技術文献】
【特許文献】
【０００３】
【特許文献１】特開２００５−２９６５１６号公報
【発明の概要】
【発明が解決しようとする課題】
【０００４】
上記電動歯ブラシでは、本体部材の内部に光源が設けられているため、歯の清掃時において清掃部材の植毛部分が光源からの光により十分に照らされないおそれがある。このため、植毛部分をより明るくするという点において改善の余地が残されている。
【０００５】
本発明の目的は植毛部分をより明るく照らすことが可能な電動歯ブラシを提供することである。
【課題を解決するための手段】
【０００６】
本発明に従う電動歯ブラシの一形態は、取付軸を有し、電源を収容可能な本体部材と、ブラシ毛が植えられた植毛部分を有し、前記取付軸に取り付けることおよび前記取付軸から取り外すことが可能な清掃部材と、前記取付軸のうちの前記清掃部材に覆われる部分に設けられ、前記植毛部分に向けて光を照射する光源と、前記清掃部材のうちの前記取付軸の周囲を覆う部分である外壁部分において前記植毛部分と前記光源との間に設けられ、前記外壁部分よりも透過率が高い材料により形成される透光部材とを備える。
【発明の効果】
【００１４】
上記電動歯ブラシは植毛部分をより明るく照らすことができる。
【図面の簡単な説明】
【００１５】
【図１】は実施形態の電動歯ブラシの図である（ａ：正面図、ｂ：側面図）。
【図２】は図１の歯ブラシ本体にキャップが装着された電動歯ブラシの図である（ａ：正面図、ｂ：側面図、ｃ：背面図）。
【図３】は図２のＡ−Ａ断面図である（ａ：全体図、ｂ：拡大図）。
【図４】は図３の透光部材の図である（ａ：正面図、ｂ：側面図、ｃ：背面図）。
【図５】は図３のアタッチメントの図である（ａ：断面図、ｂ：Ｂ−Ｂ断面図）。
【図６】は変形例のキャップの図である（ａ：正面図、ｂ：断面図）。
【図７】は変形例のアタッチメントの断面図である。
【図８】は参考例の電動歯ブラシの図である（ａ：側面図、ｂ：Ｂ−Ｂ断面図）。
【発明を実施するための形態】
【００１６】
（電動歯ブラシが取り得る形態の一例）
〔１〕本発明に従う電動歯ブラシの一形態は、取付軸を有し、電源を収容可能な本体部材と、ブラシ毛が植えられた植毛部分を有し、前記取付軸に取り付けることおよび前記取付軸から取り外すことが可能な清掃部材と、前記取付軸のうちの前記清掃部材に覆われる部分に設けられ、前記植毛部分に向けて光を照射する光源と、前記清掃部材のうちの前記取付軸の周囲を覆う部分である外壁部分において前記植毛部分と前記光源との間に設けられ、前記外壁部分よりも透過率が高い材料により形成される透光部材とを備える。
〔２〕前記電動歯ブラシの一例によれば、前記光源の光を前記透光部材に向けて反射する反射部材をさらに備える。
〔３〕前記電動歯ブラシの一例によれば、前記本体部材に設けられる振動源である振動発生装置をさらに備え、前記振動発生装置の少なくとも一部は前記取付軸内に配置されている。
〔４〕前記電動歯ブラシの一例によれば、前記光源は前記取付軸のうちの前記振動発生装置よりも前記植毛部分に近い部分に配置される。
〔５〕前記電動歯ブラシの一例によれば、前記透光部材は、前記ブラシ毛の中心軸および前記本体部材の中心軸と平行な断面である側断面において前記本体部材の中心線に対して前記ブラシ毛の先端部分が含まれる側である本体前側に設けられる。
〔６〕前記電動歯ブラシの一例によれば、前記本体部材側から前記植毛部分側に向かうにつれて前記本体部材の中心線に近づくように傾斜する前側傾斜部分が前記外壁部分のうちの前記本体前側の部分に設けられる。
〔７〕前記電動歯ブラシの一例によれば、前記植毛部分のうちの前記ブラシ毛が設けられる面である植毛面は、前記ブラシ毛の中心軸および前記本体部材の中心軸と平行な断面である側断面において前記本体部材の中心線に対して前記ブラシ毛の先端部分が含まれる側である本体前側に設けられる。
〔８〕前記電動歯ブラシの一例によれば、前記清掃部材を覆うキャップをさらに備え、前記キャップのうちの前記ブラシ毛の先端面に対向する部分に換気孔が形成される。
【００１７】
（実施形態）
図１および図２を参照して、電動歯ブラシ１の全体の構成について説明する。
電動歯ブラシ１は、使用者が自身または他人の歯を清掃するときに使用する歯ブラシ本体１０と、使用者が歯ブラシ本体１０を保管するときに歯ブラシ本体１０に取り付けるキャップ９０とを有する。
図１（ａ）に示されるように、歯ブラシ本体１０は、電源としての電池２９（図３）等をはじめとして各種の部品が内蔵される本体装置２０と、歯を清掃するアタッチメント６０とを有する。
【００１８】
本体装置２０は、歯の清掃時に使用者により把持される把持ケース２１と、本体装置２０の各部品が取り付けられる本体ケース２２とを有する。なお、本体ケース２２は「本体部材」に相当する。
【００１９】
図１（ｂ）に示されるように、本体ケース２２は、アタッチメント６０を取り付けるための取付軸３２を有する。取付軸３２は、筒型の部分として形成されている。なお、アタッチメント６０は「清掃部材」に相当する。
【００２０】
アタッチメント６０は、取付軸３２に取り付けること、および取付軸３２から取り外すことができる。また、フィラメントにより形成された複数のブラシ毛６１と、複数のブラシ毛６１が植えられたブラシ柄７０とを有する。
【００２１】
ブラシ柄７０は、複数のブラシ毛６１が植えられた先端部分７１と、本体ケース２２の取付軸３２の周囲を覆う外壁部分７２とを有する。ブラシ柄７０を構成する材料としては、白色の樹脂材料が用いられている。なお、以下では先端部分７１とブラシ毛６１とにより構成される部分を植毛部分６２とする。
【００２２】
ここで、電動歯ブラシ１の方向として以下のものを定義する。
（Ａ）歯ブラシ本体１０の中心線（以下、「本体中心線Ｃ１」）に沿う方向を「高さ方向Ｙ」とし、歯ブラシ本体１０の正面視（図１（ａ））において高さ方向Ｙに直交する方向を「奥行方向Ｚ」とし、歯ブラシ本体１０の側面視（図１（ｂ））において高さ方向Ｙに直交する方向を「幅方向Ｘ」とする。
（Ｂ）高さ方向Ｙにおいて、把持ケース２１からアタッチメント６０に向かう方向を「上方」とし、高さ方向Ｙにおいて上方とは反対の方向を「下方」とする。
（Ｃ）奥行方向Ｚにおいて、ブラシ毛６１の根元部分から先端部分に向かう方向を「前方」とし、奥行方向Ｚにおいて前方とは反対の方向を「後方」とする。
（Ｄ）電動歯ブラシ１の任意の位置を基準として、高さ方向Ｙにおいて相対的に上方にある部分を「上側」とし、高さ方向Ｙにおいて相対的に下方にある部分を「下側」とする。
（Ｅ）電動歯ブラシ１の任意の位置を基準として、奥行方向Ｚにおいて相対的に前方にある部分を「前側」とし、奥行方向Ｚにおいて相対的に後方にある部分を「後側」とする。
（Ｆ）本体中心線Ｃ１およびブラシ毛６１の中心線と平行な断面（図３）を「側断面」とする。
【００２３】
図１（ｂ）に示されるように、本体装置２０は、歯ブラシ本体１０の動作を切り替えるための操作部材２６を有する。操作部材２６は、高さ方向Ｙにおいて取付軸３２よりも下側、かつ奥行方向Ｚにおいて本体中心線Ｃ１よりも後側に設けられている。
【００２４】
図１（ａ）に示されるように、外壁部分７２のうちの前方の部分には、開口部分７３が形成されている。外壁部分７２の幅方向Ｘの寸法は、高さ方向Ｙにおいて下方から上方に向かうにつれて小さくなる。開口部分７３の高さ方向Ｙの寸法は、開口部分７３の幅方向Ｘの寸法よりも大きい。開口部分７３の幅方向Ｘの寸法は、高さ方向Ｙにおいて下方から上方に向かうにつれて小さくなる。
【００２５】
開口部分７３には、透明な樹脂材料であるＡＢＳ樹脂により形成された透光部材８０が取り付けられている。透光部材８０の透過率は、ブラシ柄７０の樹脂材料の透過率よりも大きい。
【００２６】
図１（ｂ）に示されるように、外壁部分７２のうちの前方の部分には、高さ方向Ｙにおいて下方から上方に向かうにつれて本体中心線Ｃ１に近づくように傾斜する前側傾斜部分７２Ａが形成されている。外壁部分７２のうちの後方の部分には、高さ方向において下方から上方に向かうにつれて本体中心線Ｃ１に近づくように傾斜する後側傾斜部分７２Ｂが形成されている。前側傾斜部分７２Ａの傾斜度合は、後側傾斜部分７２Ｂの傾斜度合よりも大きい。透光部材８０は、前側傾斜部分７２Ａの一部を構成している。すなわち、透光部材８０の外面の形状は、前側傾斜部分７２Ａの外面の形状に対応して傾斜している。
【００２７】
図２を参照して、キャップ９０の詳細な構成について説明する。
キャップ９０は、図１のブラシ柄７０の周囲を覆う円筒状の周壁９１と、図１の植毛部分６２の上方の部分を覆う半球状の上壁９２とを有する。上壁９２は、動物の頭部を模した形状を有する意匠部分として構成されている。
【００２８】
図２（ａ）および（ｂ）に示されるように、上壁９２の上部には、半球状の２つの突起９３が形成されている。上壁９２のうちの前側の部分には、円形状の２つの換気孔９４、楕円形状の換気孔９５、および湾曲形状の換気孔９６が形成されている。換気孔９４〜９６は、奥行方向Ｚにおいてブラシ毛６１の先端面と対向している（図３参照）。
【００２９】
キャップ９０においては、正面からみたときに上壁９２に動物の顔が形成されていることが認識されるように、突起９３、２つの換気孔９４、換気孔９５、および換気孔９６のそれぞれの形状および形成位置が規定されている。
【００３０】
図２（ｃ）に示されるように、キャップ９０の後側の部分には、高さ方向Ｙにおいて整列した３つの換気孔９７が形成されている。上段の換気孔９７は、上壁９２の中間部分に形成されている。中段の換気孔９７は、上壁９２の下端部分に形成されている。下段の換気孔９７は、周壁９１の上端部分に形成されている。各換気孔９７は、楕円形状の孔として形成されている。各換気孔９７の幅方向Ｘの寸法は、各換気孔９７の高さ方向Ｙの寸法よりも大きい。
【００３１】
キャップ９０においては、背面からみたときに上壁９２に動物の後頭部が形成されていることが認識されるように、３つの換気孔９７および２つの突起９３のそれぞれの形状および形成位置が規定されている。
【００３２】
図３を参照して、歯ブラシ本体１０内の構成について説明する。
本体ケース２２は、複数の部品が取り付けられたインナーケース４０と、インナーケース４０の一部を覆うアウターケース３０とを有する。
【００３３】
本体ケース２２の内部には、スイッチ２３Ａおよびマイクロコンピュータ（以下、「マイコン２３Ｂ」）を有する制御基板２３と、電源としての電池２９と制御基板２３とを互いに接続する接続部材２５と、振動源としての振動発生装置５０とが設けられている。また、植毛部分６２に向けて光を照射する光源２７と、制御基板２３と光源２７とを互いに接続する中継基板２４と、光源２７を上方から覆うカバー２８とが設けられている。
【００３４】
スイッチ２３Ａとしては、タクトスイッチが用いられている。光源２７としては、砲弾型の発光ダイオードが用いられている。カバー２８の材料としては、透明な樹脂材料であるＡＢＳ樹脂が用いられている。
【００３５】
スイッチ２３Ａは、操作部材２６が押し下げられることにともない押し下げられる。マイコン２３Ｂは、操作部材２６の押し下げ操作によりスイッチ２３Ａが押し下げられる毎に入力される信号に基づいて、歯ブラシ本体１０の動作を制御する。
【００３６】
振動発生装置５０は、出力軸５２を有する電動モータ５１と、出力軸５２に固定された偏心鐘５３と、電動モータ５１の駆動により生じる振動を本体ケース２２に伝達する伝達部材５４とを有する。偏心鐘５３の重心は、出力軸５２の回転中心に対して偏心している。伝達部材５４は、電動モータ５１に固定されている。伝達部材５４の外面は、アウターケース３０の後面３０Ｂに接触している。
【００３７】
アウターケース３０は、操作部材２６が取り付けられた筒状のケース本体３１と、ケース本体３１の上部に連続して形成された取付軸３２とを有する。取付軸３２は、ケース本体３１と一体的に形成されている。ケース本体３１のうちの下方の外面には、装飾部材３３が取り付けられている。
【００３８】
図３（ｂ）に示されるように、取付軸３２には、側断面においての奥行方向Ｚの寸法が互いに異なる３つの部分、すなわち先端軸３２Ａ、中間軸３２Ｂ、および基端軸３２Ｃが形成されている。各軸３２Ａ〜３２Ｃは、高さ方向Ｙにおいて上方から下方に向けて先端軸３２Ａ、中間軸３２Ｂ、および基端軸３２Ｃの順に形成されている。先端軸３２Ａの奥行方向Ｚの寸法は、中間軸３２Ｂの奥行方向Ｚの寸法よりも小さい。中間軸３２Ｂの奥行方向Ｚの寸法は、基端軸３２Ｃの奥行方向Ｚの寸法よりも小さい。
【００３９】
先端軸３２Ａの上端部分には、開口部分３２Ｄが形成されている。カバー２８は、開口部分３２Ｄに圧入されている。カバー２８の上面は、奥行方向Ｚおよび幅方向Ｘに沿う平面として形成されている。カバー２８の下面には、下方から上方に向けて半球状に凹む湾曲部分２８Ａが形成されている。
【００４０】
図３（ａ）に示されるように、インナーケース４０は、各部品を取り付けるための５つの取付部分、すなわち第１取付部分４１、第２取付部分４２、第３取付部分４３、第４取付部分４４、および第５取付部分４５を有する。各取付部分４１〜４５は、高さ方向Ｙにおいて下方から上方に向けて第１取付部分４１、第２取付部分４２、第３取付部分４３、第４取付部分４４、および第５取付部分４５の順に形成されている。
【００４１】
第１取付部分４１は、電池２９を取り付けるための部分として形成されている。第２取付部分４２は、制御基板２３を取り付けるための部分として形成されている。第３取付部分４３は、中継基板２４を取り付けるための部分として形成されている。第４取付部分４４は、振動発生装置５０を取り付けるための部分として形成されている。第５取付部分４５は、光源２７を取り付けるための部分として、かつ中実の四角柱形状の部分として形成されている。
【００４２】
図３（ｂ）に示されるように、取付軸３２の内部には、インナーケース４０の第３取付部分４３、第４取付部分４４、および第５取付部分４５が収容されている。すなわち、取付軸３２の内部には、中継基板２４、振動発生装置５０、および光源２７が収容されている。
【００４３】
図３（ａ）を参照して、歯ブラシ本体１０内の各部品の位置関係について説明する。なお、側断面においてブラシ柄７０の外面のうちの前方の面を「前面７０Ｃ」とし、ブラシ柄７０の外面のうちの後方の面を「後面７０Ｄ」とする。また、ブラシ柄７０の先端部分７１の前面７０Ｃを「植毛面７１Ａ」とし、同先端部分７１の後面７０Ｄを「頭背面７１Ｂ」とする。
（Ａ）制御基板２３は、高さ方向Ｙにおいて電池２９よりも上側に設けられている。
（Ｂ）中継基板２４は、高さ方向Ｙにおいて制御基板２３よりも上側に設けられている。
（Ｃ）振動発生装置５０は、高さ方向Ｙにおいて中継基板２４の一部と重なり合う位置に設けられている。
（Ｄ）光源２７は、高さ方向Ｙにおいて中継基板２４および振動発生装置５０よりも上側に設けられている。
（Ｅ）光源２７は、奥行方向Ｚにおいて植毛面７１Ａよりも後側かつ頭背面７１Ｂよりも前側に設けられている。
（Ｆ）光源２７の頂部は、高さ方向Ｙにおいてカバー２８の底面に対応する位置に設けられている。
（Ｇ）透光部材８０は、高さ方向Ｙにおいて光源２７よりも上側かつ植毛部分６２よりも下側に設けられている。
（Ｈ）透光部材８０の下端部分は、高さ方向Ｙにおいて取付軸３２の上端部分の付近に設けられている。
【００４４】
図３（ｂ）を参照して、ブラシ柄７０の詳細な構成について説明する。
側断面においてブラシ柄７０の各部分を以下のように定義する。
（Ａ）長手方向のブラシ毛６１側の端部を「先端７０Ａ」とする。
（Ｂ）長手方向の本体装置２０側の端部を「基端７０Ｂ」とする。
（Ｃ）先端７０Ａから基端７０Ｂまでの前面７０Ｃに沿う長さを「前面長さＶ」とする。
（Ｄ）先端７０Ａから基端７０Ｂまでの後面７０Ｄに沿う長さを「後面長さＷ」とする。
（Ｅ）前側傾斜部分７２Ａのうちの外壁部分７２と先端部分７１との境界と光源２７の上部との間に対応する部分を「上側傾斜部分７２ＡＵ」とする。
（Ｆ）前側傾斜部分７２Ａのうちの振動発生装置５０および光源２７に対応する部分を「下側傾斜部分７２ＡＬ」とする。
（Ｇ）後側傾斜部分７２Ｂのうちの外壁部分７２と先端部分７１との境界と光源２７の上部との間に対応する部分を「上側傾斜部分７２ＢＵ」とする。
（Ｈ）後側傾斜部分７２Ｂのうちの振動発生装置５０および光源２７に対応する部分を「下側傾斜部分７２ＢＬ」とする。
【００４５】
植毛面７１Ａは、奥行方向Ｚにおいて本体中心線Ｃ１よりも前方かつ前側傾斜部分７２Ａよりも後側に形成されている。頭背面７１Ｂは、奥行方向Ｚにおいて本体中心線Ｃ１よりも後側かつ後側傾斜部分７２Ｂよりも前側に形成されている。後壁長さＷは、前壁長さＶよりも小さい。
【００４６】
前側傾斜部分７２Ａは、本体中心線Ｃ１よりも前側に形成されている。また、高さ方向Ｙにおいて下方から上方に向かうにつれて奥行方向Ｚにおいて前側から後側に傾斜している。また、外壁部分７２と上側傾斜部分７２ＡＵとの間の部分の傾斜度合は、下側傾斜部分７２ＡＬの傾斜度合よりも大きい。
【００４７】
後側傾斜部分７２Ｂは、本体中心線Ｃ１よりも後側に形成されている。また、高さ方向Ｙにおいて下方から上方に向かうにつれて奥行方向Ｚにおいて後側から前側に傾斜している。また、上側傾斜部分７２ＢＵの傾斜度合は、下側傾斜部分７２ＢＬの傾斜度合よりも大きい。
【００４８】
前側傾斜部分７２Ａの上側傾斜部分７２ＡＵの傾斜度合は、後側傾斜部分７２Ｂの上側傾斜部分７２ＢＵの傾斜度合よりも大きい。前側傾斜部分７２Ａの下側傾斜部分７２ＡＬの傾斜度合は、後側傾斜部分７２Ｂの上側傾斜部分７２ＢＵの傾斜度合よりも小さい。
【００４９】
図３を参照して、本体装置２０の詳細な構成について説明する。
側断面において、本体装置２０の各部分を以下のように定義する。
（Ａ）本体ケース２２の外面のうちの前方の面を「前面２２Ａ」とする。
（Ｂ）本体ケース２２の外面のうちの後方の面を「後面２２Ｂ」とする。
（Ｃ）アウターケース３０の外面のうちの前方の面を「前面３０Ａ」とする。
（Ｄ）アウターケース３０の外面のうちの後方の面を「後面３０Ｂ」とする。
（Ｅ）インナーケース４０の外面のうちの前方の面を「前面４０Ａ」とする。
（Ｆ）インナーケース４０の外面のうちの後方の面を「後面４０Ｂ」とする。
（Ｇ）把持ケース２１と対向する前面２２Ａの部分の長さを「前壁長さＰ」とする。
（Ｈ）把持ケース２１と対向する後面２２Ｂの部分の長さを「後壁長さＱ」とする。
【００５０】
図３（ａ）に示されるように、前面２２Ａは、前面３０Ａおよび前面４０Ａにより構成されている。後面２２Ｂは、後面３０Ｂおよび後面４０Ｂにより構成されている。後壁長さＱは、前壁長さＰよりも小さい。なお、前壁長さＰおよび後壁長さＱは、前面２２Ａおよび後面２２Ｂのそれぞれにおいて把持ケース２１の内面と直接的に対向する部分の長さを示す。
【００５１】
図３（ｂ）に示されるように、アウターケース３０の前面３０Ａは、インナーケース４０の前面４０Ａよりも前側に設けられている。ブラシ柄７０の前面７０Ｃは、前面３０Ａよりも前側に設けられている。ケース本体３１と取付軸３２との接続部分には、段差部分３４が形成されている。ブラシ柄７０の下端面は、段差部分３４の上面と対向している。
【００５２】
図３（ａ）を参照して、歯ブラシ本体１０のシール構造について説明する。
把持ケース２１および本体ケース２２の取付部分には、把持ケース２１と本体ケース２２との間をシールする把持側シール部材２２Ｃが設けられている。把持側シール部材２２Ｃは、インナーケース４０に取り付けられている。また、高さ方向Ｙにおいて第１取付部分４１よりも上側かつ把持ケース２１の上端面よりも下側に取り付けられている。
【００５３】
アウターケース３０およびインナーケース４０の取付部分には、アウターケース３０とインナーケース４０との間をシールする本体側シール部材２２Ｄが設けられている。本体側シール部材２２Ｄは、インナーケース４０に取り付けられている。また、高さ方向Ｙにおいて把持ケース２１の上端面よりも上側かつ第２取付部分４２よりも下側に取り付けられている。
【００５４】
図４を参照して、透光部材８０の詳細な構成について説明する。
図４（ａ）に示されるように、透光部材８０は、図１のブラシ柄７０の開口部分７３に挿入される窓部分８１と、ブラシ柄７０に対する透光部材８０の前方への移動を規制する外部抜止部分８２と、ブラシ柄７０に対する透光部材８０の下方への移動を規制する内部抜止部分８３とを有する。外部抜止部分８２は、窓部分８１の上端部分および下端部分に形成されている。
【００５５】
図４（ｂ）に示されるように、内部抜止部分８３は、窓部分８１の後側に形成されている。内部抜止部分８３の先端部分には、ブラシ柄７０に引っ掛けられるフック８３Ａが形成されている。内部抜止部分８３の高さ方向Ｙの寸法は、内部抜止部分８３の幅方向Ｘの寸法よりも大きい。
【００５６】
図４（ｃ）に示されるように、窓部分８１の幅方向Ｘの両端には、窓部分８１の端部から突出した羽根部分８４と、ブラシ柄７０に対する透光部材８０の下側への移動を規制する嵌合部分８５とが形成されている。
【００５７】
図５を参照して、ブラシ柄７０の内部の詳細な構成について説明する。
ブラシ柄７０は、図４のフック８３Ａが引っ掛けられる嵌合部分７４と、図４の嵌合部分８５に嵌め込まれる突出部分７５と、羽根部分８４が挿入される平板状の挿入部分７６とを有する。各挿入部分７６は、奥行方向Ｚにおいて互いに離間している。
【００５８】
図４および図５を参照して、透光部材８０の取付手順について説明する。
透光部材８０は、次の手順によりブラシ柄７０に取り付けられる。
（Ａ）透光部材８０をブラシ柄７０の下端の開口部分から内部に挿入する。
（Ｂ）内部抜止部分８３のフック８３Ａを嵌合部分７４に引っ掛ける。
（Ｃ）嵌合部分８５をブラシ柄７０の突出部分７５に嵌め込む。
（Ｄ）各羽根部分８４をブラシ柄７０の各挿入部分７６に挿入する。
【００５９】
図３を参照して、光源２７の動作について説明する。
マイコン２３Ｂの制御により光源２７に電圧が加えられているとき、光源２７から光が照射される。光源２７から照射された光は、カバー２８を介してブラシ柄７０の内部を照らす。また、透光部材８０を介して植毛部分６２およびその付近を照らす。
【００６０】
図１および図３を参照して、歯ブラシ本体１０の制御について説明する。
マイコン２３Ｂは、操作部材２６の操作に応じて歯ブラシ本体１０の動作を制御するモード制御と、電動モータ５１の回転速度を調整する回転速度制御と、歯ブラシ本体１０の動作時間を管理するタイマ制御とを行なう。
【００６１】
モード制御では、操作部材２６の操作に応じて歯ブラシ本体１０の動作モードを切り替える。歯ブラシ本体１０の動作モードとしては、第１動作モードおよび第２動作モードが予め用意されている。第１動作モードは、光源２７を点灯し、かつ電動モータ５１を駆動する。第２動作モードは、光源２７を消灯し、かつ電動モータ５１を駆動する。
【００６２】
マイコン２３Ｂは、次のように動作モードの切り替えを行なう。
（Ａ）電源がオフの状態において操作部材２６を押し下げる操作が１回行なわれたとき、電源がオフの状態から第１動作モードを選択した状態に変更する。
（Ｂ）第１動作モードを選択した状態において操作部材２６を押し下げる操作が１回行なわれたとき、動作モードを第１動作モードから第２動作モードに変更する。
（Ｃ）第２動作モードを選択した状態において操作部材２６を押し下げる操作が１回行なわれたとき、第２動作モードを選択した状態から電源がオフの状態に変更する。
【００６３】
マイコン２３Ｂは、第１動作モードまたは第２動作モードを選択しているときに回転速度制御を行なう。回転速度制御では、電動モータ５１の駆動電圧をＰＷＭ制御により変更することにより、電動モータ５１の回転速度を所定範囲内に維持する。すなわち、電動モータ５１の回転により生じる振動の大きさを所定範囲内に維持する。
【００６４】
回転速度制御では、次のように電動モータ５１の電圧のデューティー比を変更する。
（Ａ）電池２９の電圧の測定値が基準電圧よりも高いとき、電動モータ５１の駆動電圧と基準電圧との差に応じてデューティー比を小さくする。
（Ｂ）電池２９の電圧の測定値が基準電圧よりも低いとき、電動モータ５１の駆動電圧と基準電圧との差に応じてデューティー比を大きくする。
（Ｃ）電池２９の電圧の測定値が基準電圧と等しいとき、デューティー比を維持する。
【００６５】
基準電圧は、電動モータ５１の回転により所定範囲の大きさの振動が発生するときの駆動電圧として予め設定されている。なお、ここでは１つの設定値として基準電圧が設定されているが、上記所定範囲の大きさの振動が発生する電圧の範囲として基準電圧を設定することもできる。
【００６６】
タイマ制御では、第１動作モードまたは第２動作モードが連続して選択されている時間に応じて電源を強制的にオフする。すなわち、操作部材２６の操作が行なわれなくとも所定条件の成立に基づいて歯ブラシ本体１０の動作を停止させる。
【００６７】
具体的には、以下のように動作モードを変更する。
（Ａ）電源がオフの状態から第１動作モードを選択した状態に変更したとき、第１動作モードを選択してからの経過時間（以下、「第１動作時間ＴＡ」）のカウントを開始する。そして、第１動作時間ＴＡが判定時間ＴＡＸ以上のとき、電源をオフにする。
（Ｂ）第１動作モードから第２動作モードに変更したとき、動作モードを変更してからの経過時間（以下、「第２動作時間ＴＢ」）のカウントを開始する。そして、第２動作時間ＴＢが判定時間ＴＢＸ以上のとき、電源をオフにする。
【００６８】
判定時間ＴＡＸは、第１動作モードにより継続して歯に振動を付与することが好ましい範囲内の時間として予め設定されている。また、判定時間ＴＢＸは、第２動作モードにより継続して歯に振動を付与することが好ましい範囲内の時間として予め設定されている。なお、判定時間ＴＡＸおよび判定時間ＴＢＸとしては、同じ値または互いに異なる値を設定することができる。
【００６９】
（実施形態の効果）
本実施形態の電動歯ブラシ１によれば以下の効果が得られる。
（１）電動歯ブラシ１においては、取付軸３２に光源２７が設けられている。この構成によれば、本体装置２０においての光源２７の位置が植毛部分６２に近くなるため、植毛部分６２をより明るくすることができる。
【００７０】
（２）電動歯ブラシ１においては、光源２７が植毛部分６２に向けて光を照射する。この構成によれば、上記（１）の効果がより高められる。
（３）電動歯ブラシ１においては、ブラシ柄７０の前面７０Ｃに透光部材８０が設けられている。この構成によれば、上記（１）の効果がより高められる。
【００７１】
（４）電動歯ブラシ１においては、ブラシ柄７０の前側傾斜部分７２Ａの上側傾斜部分７２ＡＵに透光部材８０が取り付けられている。この構成によれば、ブラシ柄７０の別の部分、例えば前側傾斜部分７２Ａの下側傾斜部分７２ＡＬ、またはブラシ柄７０の側壁に透光部材８０が取り付けられる構成と比較して、上記（１）の効果がより高くなる。
【００７２】
（５）電動歯ブラシ１においては、取付軸３２の内部に振動発生装置５０が収容されている。この構成によれば、取付軸３２よりも下側に振動発生装置５０が設けられる構成と比較して、歯ブラシ本体１０の高さ方向Ｙの寸法を小さくすることができる。
【００７３】
（６）電動歯ブラシ１においては、ブラシ柄７０の植毛面７１Ａが本体中心線Ｃ１よりも前側に位置している。この構成によれば、植毛面７１Ａが本体中心線Ｃ１よりも後側に位置する構成と比較して、歯の清掃時に外壁部分７２の前面７０Ｃが歯に接触しにくくなる。また、植毛面７１Ａが本体中心線Ｃ１よりも後側に位置する構成と比較して、取付軸３２の奥行方向Ｚの寸法を大きくすることができる。このため、取付軸３２の内部に大きな空間を形成することにより、振動発生装置５０および光源２７等の部品を配置するためのスペースを大きくすることができる。
【００７４】
（７）電動歯ブラシ１においては、キャップ９０の換気孔９４〜９６がブラシ毛６１の先端面と対向している。この構成によれば、換気孔９４〜９６を介してキャップ９０の外部からキャップ９０の内部に流入する空気がブラシ毛６１に触れやすくなるため、キャップ９０が歯ブラシ本体１０に取り付けられていることによりブラシ毛６１が乾きにくくなることが抑制される。
【００７５】
（８）電動歯ブラシ１においては、透光部材８０の外部抜止部分８２および羽根部分８４がそれぞれブラシ柄７０の開口部分７３の周縁部分または挿入部分７６に嵌め込まれている。この構成によれば、透光部材８０がブラシ柄７０の外部に脱落することが抑制される。
【００７６】
（９）電動歯ブラシ１においては、透光部材８０の内部抜止部分８３および嵌合部分８５がそれぞれブラシ柄７０の嵌合部分７４または突起に嵌め込まれている。この構成によれば、ブラシ柄７０に対する透光部材８０の取り付け位置が規定の位置からずれることが抑制される。また、透光部材８０が開口部分７３から脱落してブラシ柄７０の外部に移動することが抑制される。
【００７７】
（１０）電動歯ブラシ１においては、透光部材８０の下端部分が取付軸３２の上端部分の付近に設けられている。この構成によれば、透光部材８０が開口部分７３から脱落したとき、ブラシ柄７０に対する透光部材８０の下方への移動が取付軸３２により規制される。また、透光部材８０の下端部分が取付軸３２の上端部分から大きく離間した位置に設けられる構成と比較して、ブラシ柄７０に対する透光部材８０の下方への移動量が小さくなる。
【００７８】
（１１）電動歯ブラシ１においては、取付軸３２の開口部分３２Ｄにカバー２８が圧入されている。この構成によれば、カバー２８と開口部分３２Ｄとの隙間を介して水および埃が取付軸３２の内部に侵入することが抑制される。
【００７９】
（１２）電動歯ブラシ１においては、側断面において本体中心線Ｃ１に対してブラシ毛６１とは反対側に操作部材２６が設けられている。この構成によれば、電動歯ブラシ１の使用者が同歯ブラシ１により他人の歯を清掃するとき、操作部材２６が使用者側に位置する。このため、側断面において本体中心線Ｃ１に対してブラシ毛６１と同じ側に操作部材２６が設けられる構成と比較して、操作部材２６の操作が容易になる。
【００８０】
（１３）電動歯ブラシ１の歯ブラシ本体１０は、動作モードとして第１動作モードおよび第２動作モードを有する。この構成によれば、使用者は光源２７の点灯を必要としないときに第２動作モードを選択することができる。これにより、歯ブラシ本体１０の消費電力を少なくすることができる。
【００８１】
（１４）電動歯ブラシ１のマイコン２３Ｂは、電動モータ５１の回転速度を制御する回転速度制御を行なう。この構成によれば、第１動作モードまたは第２動作モードが選択されているとき、使用者が受ける歯磨きの感覚を安定させることができる。
【００８２】
（１５）電動歯ブラシ１のマイコン２３Ｂは、電源を強制的にオフするタイマ制御を行なう。この構成によれば、長時間にわたり電動モータ５１の振動が歯に付与されることが抑制される。また、使用者が歯の清掃後に歯ブラシ本体１０の電源をオンからオフに変更することを忘れた場合、マイコン２３Ｂにより電源がオフされる。このため、歯ブラシ本体１０の電力が不要に消費されることが抑制される。
【００８３】
（１６）電動歯ブラシ１においては、ブラシ柄７０の後壁長さＷが前壁長さＶよりも小さい。この構成によれば、振動発生装置５０の振動がブラシ柄７０の後面７０Ｄに伝達されやすくなる。
【００８４】
（１７）電動歯ブラシ１においては、振動発生装置５０の伝達部材５４がアウターケース３０の壁部に接触している。この構成によれば、振動発生装置５０の振動がブラシ柄７０の後側傾斜部分７２Ｂに伝達されやすくなる。
【００８５】
（１８）電動歯ブラシ１においては、電動モータ５１の回転軸が把持ケース２１の中心線に対して後側に偏倚しているため、電動モータ５１の回転にともなう振動が把持ケース２１のうちの後側の壁部に伝達されやすい。一方、本体ケース２２の後壁長さＱが前壁長さＰよりも小さい。このため、後壁長さＱが前壁長さＰよりも大きい構成と比較して、把持ケース２１の後側の壁部には振動が伝達されにくい。すなわち、把持ケース２１から使用者の手に付与される振動が小さい。
【００８６】
このように、電動歯ブラシ１によれば、電動モータ５１の回転軸を把持ケース２１の中心線に対して後側に偏倚させる構成を採用したうえで、歯ブラシ本体１０の使用時に使用者の手に伝達される振動を低減することができる。
【００８７】
（１９）比較例としての電動歯ブラシ（以下、「第１の比較歯ブラシ」）との対比に基づいて、電動歯ブラシ１により得られる効果について説明する。第１の比較歯ブラシは、以下の各点において電動歯ブラシ１と相違し、その他の点については電動歯ブラシ１と同じ構成を有する。
（Ａ）取付軸３２から光源２７が省略されている。
（Ｂ）取付軸３２の体格が電動歯ブラシ１よりも小さい。
（Ｃ）ブラシ柄７０の前側傾斜部分７２Ａの傾斜度合が電動歯ブラシ１よりも大きい。
（Ｄ）ブラシ柄７０の後側傾斜部分７２Ｂの傾斜度合が電動歯ブラシ１よりも小さい。
（Ｅ）植毛部分６２が電動歯ブラシ１よりも奥行方向Ｚの後方に位置している。すなわち、植毛面７１Ａが電動歯ブラシ１よりも奥行方向Ｚの後方に位置している。
【００８８】
第１の比較歯ブラシにおいては、光源２７が省略されているため、取付軸３２内に光源２７を配置するためのスペースを確保する必要がない。このため、取付軸３２の体格が電動歯ブラシ１よりも小さい。また、取付軸３２の体格が小さいことにともない、ブラシ柄７０内において取付軸３２を配置するためのスペースが小さくなる。また、ブラシ柄７０内の同スペースが小さいことにより、前側傾斜部分７２Ａにおいて取付軸３２に対応する部分が本体中心線Ｃ１に対してより近い位置に形成される。
【００８９】
これにより、奥行方向Ｚにおいて取付軸３２に対応する部分の前側傾斜部分７２Ａの前方への膨らみ度合が電動歯ブラシ１よりも小さくなり、かつ取付軸３２に対応する部分の前側傾斜部分７２Ａの傾斜度合が電動歯ブラシ１よりも大きくなる。
【００９０】
また、前側傾斜部分７２Ａの傾斜度合の変更に応じて植毛面７１Ａが本体中心線Ｃ１よりも後側に位置するように植毛部分６２が電動歯ブラシ１よりも後側に形成されている。また、植毛部分６２の位置に応じて後側傾斜部分７２Ｂの傾斜度合が電動歯ブラシ１よりも小さくなる。すなわち、第１の比較歯ブラシの後側傾斜部分７２Ｂは、電動歯ブラシ１の後側傾斜部分７２Ｂと比較して、本体中心線Ｃ１に対する傾斜度合がより小さい部分として構成されている。
【００９１】
電動歯ブラシ１は、上記第１の比較歯ブラシを基準としたとき、取付軸３２に光源２７が設けられることにともない、第１の比較歯ブラシに対して次の変更が加えられたものとみることができる。
【００９２】
すなわち、取付軸３２内に光源２７を配置するためのスペースを確保するため、取付軸３２の体格を第１の比較歯ブラシよりも大きくしている。また、取付軸３２の体格を大きくしていることにともない、ブラシ柄７０内において取付軸３２を配置するためのスペースを大きくしている。
【００９３】
このため、第１の比較歯ブラシと比較して、前側傾斜部分７２Ａにおいて取付軸３２に対応する部分を本体中心線Ｃ１からより離れた位置に形成している。また、奥行方向Ｚにおいて取付軸３２に対応する部分の前側傾斜部分７２Ａの前方への膨らみ度合を第１の比較歯ブラシよりも大きくし、かつ取付軸３２に対応する部分の前側傾斜部分７２Ａの傾斜度合を第１の比較歯ブラシよりも小さくしている。
【００９４】
ここで、電動歯ブラシ１において、第１の比較歯ブラシと同様に植毛面７１Ａが本体中心線Ｃ１よりも後側に位置するように植毛部分６２を形成することもできるが、本実施形態の同歯ブラシ１では上記のとおり植毛面７１Ａが本体中心線Ｃ１よりも前側に位置するように植毛部分６２を形成している。すなわち、第１の比較歯ブラシの植毛部分６２よりも前側に植毛部分６２を形成している。また、こうした植毛部分６２の形成位置の設定に応じて、第１の比較歯ブラシよりも後側傾斜部分７２Ｂを本体中心線Ｃ１に近い位置に形成している。このため、後側傾斜部分７２Ｂの傾斜度合が第１の比較歯ブラシよりも大きくなる。
【００９５】
そして、植毛面７１Ａが本体中心線Ｃ１よりも前側に位置するように植毛部分６２の位置を設定していることにより、植毛面７１Ａが本体中心線Ｃ１よりも後側に位置するように植毛部分６２の位置を設定した別の比較歯ブラシ（以下、「第２の比較歯ブラシ」）と比較して、次のような有利な効果が得られる。なお、第２の比較歯ブラシは、植毛面７１Ａの位置が上記のとおり相違する点を除いて電動歯ブラシ１と同じ構成を有する。
【００９６】
第２の比較歯ブラシにおいては、取付軸３２に対応する部分の前側傾斜部分７２Ａの前方への膨らみ度合が第１の比較歯ブラシよりも大きいため、歯の清掃時に前側傾斜部分７２Ａが歯に接触しやすくなる。
【００９７】
一方、電動歯ブラシ１においては、取付軸３２に対応する部分の前側傾斜部分７２Ａの前方への膨らみ度合が第２の比較歯ブラシと同じである一方、植毛面７１Ａが第２の比較歯ブラシよりも奥行方向Ｚの前側に形成されているため、すなわち植毛面７１Ａが本体中心線Ｃ１よりも奥行方向Ｚの前側に形成されているため、第２の比較歯ブラシと比較して歯の清掃時に前側傾斜部分７２Ａが歯に接触するおそれが小さくなる。
【００９８】
なお、第２の比較歯ブラシにおいてブラシ毛６１の長さを長くすることにより、前側傾斜部分７２Ａが歯に接触することを抑制することもできる。ただし、この場合にはブラシ毛６１の長さが予め設定された好ましい長さよりも長くなるため、この点において使用者が違和感を覚えるおそれがある。これに対して、電動歯ブラシ１は上記のとおり植毛面７１Ａの形成位置を第１の比較歯ブラシよりも前側に設定していることにより、前側傾斜部分７２Ａが歯に接触することを抑制する効果が得られる。このため、第２の比較歯ブラシとは異なり、ブラシ毛６１の長さについては好ましい長さを設定することができる。
【００９９】
（その他の実施形態）
本発明の実施態様は、上記実施形態の内容に限られるものではなく、例えば以下のように変更することもできる。また、以下の変形例は上記実施形態についてのみ適用されるものではなく、異なる変形例同士を互いに組み合わせて実施することもできる。
【０１００】
・上記実施形態（図２）において、キャップ９０にストラップを取り付けることもできる。この構成の具体的な例としては、以下の（Ａ）〜（Ｄ）が挙げられる。
（Ａ）図６（ａ）に示されるように、キャップ９０の各突起９３に貫通孔９３Ａを形成する。そして、この貫通孔９３Ａにストラップ９８を取り付ける。
（Ｂ）キャップ９０の一方の突起９３だけに貫通孔９３Ａを形成する。そして、この貫通孔９３Ａにストラップ９８を取り付ける。
（Ｃ）図６（ｂ）に示されるように、換気孔９４および換気孔９７にストラップ９８を挿入することにより、キャップ９０にストラップ９８を取り付ける。
（Ｄ）換気孔９４〜９７のうちの少なくとも２つの換気孔にストラップ９８を挿入することにより、キャップ９０にストラップ９８を取り付ける。
【０１０１】
・上記実施形態（図３）において、ブラシ柄７０に光源２７の光を反射する反射部材を設けることもできる。この構成の具体的な例としては、図７に示されるものが挙げられる。図７のブラシ柄７０においては、後側傾斜部分７２Ｂに反射部材１００が設けられている。反射部材１００は、光源２７の光を透光部材８０に向けて反射する。この構成によれば、アタッチメント６０の前側を光源２７の光により一層明るくすることができる。
【０１０２】
・上記実施形態（図３）では、光源２７として砲弾型の発光ダイオードを用いているが、チップ型の発光ダイオードに変更することもできる。また、光源２７の種類を白熱電球または放電電球に変更することもできる。
【０１０３】
・上記実施形態（図３）では、圧入によりカバー２８を取付軸３２に固定しているが、超音波溶接によりカバー２８を取付軸３２に固定することもできる。
・上記実施形態（図３）では、カバー２８の上面を平面として形成しているが、カバー２８の上面の形状はこれに限られない。例えば、高さ方向Ｙの上方に向けて突出する曲面形状に変更することもできる。また、奥行方向Ｚの後方に向かうにつれて高さ方向Ｙの上方に向けて傾斜する傾斜面に変更することもできる。
【０１０４】
・上記実施形態（図１）では、カバー２８に湾曲部分２８Ａを形成しているが、カバー２８から湾曲部分２８Ａを省略し、かつカバー２８の下面を平面として形成することもできる。この構成によれば、光源２７から照射された光がカバー２８を介して幅方向Ｘおよび奥行方向Ｚに広がることが抑制されるため、植毛部分６２を明るくする効果が高められる。
【０１０５】
・上記実施形態（図１）では、カバー２８および透光部材８０の材料としてＡＢＳ樹脂を用いているが、カバー２８および透光部材８０の材料はこれに限られない。例えば、カバー２８および透光部材８０の少なくとも一方の材料として、ポリカーボネートまたはポリプロピレンを用いることもできる。ポリカーボネートを用いた場合、ＡＢＳ樹脂を用いた場合よりもカバーおよび透光部材の透過率が高くなる。また、ポリプロピレンを用いた場合、ＡＢＳ樹脂を用いた場合よりも耐薬品性が高くなる。
【０１０６】
・上記実施形態（図３）において、ブラシ柄７０の開口部分７３および透光部材８０を省略することもできる。この構成においても上記実施形態の（１）、（２）、（５）〜（７）、および（１１）〜（１９）の効果が得られる。
【０１０７】
・上記実施形態（図３）では、ブラシ柄７０の前側傾斜部分７２Ａに開口部分７３を形成しているが、開口部分７３の形成位置は前面７０Ｃに限られない。例えば、ブラシ柄７０の後側傾斜部分７２Ｂに開口部分７３を形成することもできる。
【０１０８】
・上記実施形態（図３）では、振動発生装置５０の全体を取付軸３２に収容しているが、振動発生装置５０の一部を取付軸３２よりも下側に設けることもできる。また、振動発生装置５０の全体を取付軸３２よりも下側に設けることもできる。
【０１０９】
・上記実施形態（図３）に対して、次の第３動作モードを追加することもできる。この第３動作モードは、光源２７を点灯し、かつ電動モータ５１を停止する。また、操作部材２６の操作に応じた第３動作モードの選択順序としては、第１動作モードの前、または第１動作モードの後、または第２動作モードの後のいずれかを設定することができる。
【０１１０】
・上記実施形態（図３）に対して、次の第１１動作モードおよび第１２動作モードを追加することもできる。なお、これらの動作モードを追加する変形例をモード追加変形例Ａとする。
【０１１１】
第１１動作モードは、第１動作モードよりも強い振動を歯に付与する。第１２動作モードは、第１動作モードよりも弱い振動を歯に付与する。第１１動作モードおよび第１２動作モードは、第１動作モードと同様に光源２７を点灯する。
【０１１２】
マイコン２３Ｂは、第１１動作モードおよび第１２動作モードを選択しているとき、次のように回転速度制御を行なう。なお、第１動作モードを選択しているときの回転速度制御において、電動モータ５１の回転速度の目標範囲として設定される所定範囲を「中間所定範囲」とする。
【０１１３】
（Ａ）第１１動作モードを選択しているとき、電動モータ５１の駆動電圧をＰＷＭ制御により変更することにより、電動モータ５１の回転速度を中間所定範囲よりも大きい所定範囲内に維持する。
【０１１４】
（Ｂ）第１２動作モードを選択しているとき、電動モータ５１の駆動電圧をＰＷＭ制御により変更することにより、電動モータ５１の回転速度を中間所定範囲よりも小さい所定範囲内に維持する。
【０１１５】
・上記モード追加変形例Ａにおいて、第１動作モード、第１１動作モード、および第１２動作モードのいずれか１つを省略することもできる。
・上記モード追加変形例Ａにおいて、使用者が動作モードを第１動作モードから第１１動作モードまたは第１２動作モードに変更するための別の操作部材を追加することもできる。この場合、マイコン２３Ｂは、操作部材２６の操作に対しては上記実施形態と同様に動作モードの変更、電源のオン、および電源のオフを行なう。そして、第１動作モードが選択されている状態において上記別の操作部材が操作される毎に第１１動作モード、第１２動作モード、および第１動作モードの順に動作モードを変更する。なお、上記別の操作部材の操作に対する動作モードの選択順序は、上記の例に限られるものではなく、予め任意のものを設定することができる。
【０１１６】
・上記実施形態（図３）に対して、次の第２１動作モードおよび第２２動作モードを追加することもできる。なお、これらの動作モードを追加する変形例をモード追加変形例Ｂとする。
【０１１７】
第２１動作モードは、第２動作モードよりも強い振動を歯に付与する。第２２動作モードは、第２動作モードよりも弱い振動を歯に付与する。第２１動作モードおよび第２２動作モードは、第２動作モードと同様に光源２７を消灯する。
【０１１８】
マイコン２３Ｂは、第２１動作モードを選択しているとき、第１１動作モードを選択しているときと同様の態様で回転速度制御を行なう。また、第２２動作モードを選択しているとき、第１２動作モードを選択しているときと同様の態様で回転速度制御を行なう。
【０１１９】
・上記モード追加変形例Ｂにおいて、第２動作モード、第２１動作モード、および第２２動作モードのいずれか１つを省略することもできる。
・上記モード追加変形例Ｂにおいて、使用者が動作モードを第２動作モードから第２１動作モードまたは第２２動作モードに変更するための別の操作部材を追加することもできる。なお、別の操作部材の操作に対する動作モードの選択方法については、上記モード追加変形例Ａに準じたものを採用することができる。
【０１２０】
・上記モード追加変形例Ａと上記モード追加変形例Ｂとを組み合わせて実施することもできる。この場合、上記モード追加変形例Ａの別の操作部材と、上記モード追加変形例Ｂの別の操作部材とを個別に設ける構成、または２つの別の操作部材を共通化する構成を採用することができる。
【０１２１】
・上記実施形態（図３）では、歯ブラシ本体１０に振動発生装置５０を設けているが、歯ブラシ本体１０から振動発生装置５０を省略することもできる。また、この場合には振動発生装置５０を本体ケース２２に取り付けるための構成についても併せて省略することができる。
【０１２２】
要するに、光源により植毛部分を照らす機能を有する電動歯ブラシであれば、歯に振動を付与する機能を有していなくとも本発明を適用することができる。また、この構成の場合にも上記実施形態に準じた態様で本発明の具体的構成を電動歯ブラシに適用することにより、同実施形態の（１）〜（４）、（６）〜（１５）、および（１９）の効果に準じた効果が得られる。
【０１２３】
（電動歯ブラシの参考例１）
図８に、電動歯ブラシ１の構成の一部を変更した他の電動歯ブラシを示す。なお、同他の電動歯ブラシにおいて、電動歯ブラシ１と共通する構成要素については、電動歯ブラシ１の構成要素に付された符号と同様の符号を付している。
【０１２４】
この電動歯ブラシは、歯ブラシ本体１０と図１のキャップ９０とを有する。また、以下の点において電動歯ブラシ１と構成が相違している。
（Ａ）取付軸３２の先端部分には、光源２７に代えてステインケアアタッチメント１１０が設けられている。
（Ｂ）取付軸３２の先端軸３２Ａおよびカバー２８が省略されている。
（Ｃ）アタッチメント６０から透光部材８０が省略されている。
（Ｄ）ブラシ柄７０から開口部分７３、嵌合部分７４、突出部分７５、および挿入部分７６が省略されている。
（Ｅ）取付軸３２の中間軸３２Ｂには、頂壁３２Ｅが形成されている。
（Ｆ）取付軸３２の頂壁３２Ｅには、ステインケアアタッチメント１１０を取り付けるための取付部分３２Ｆが形成されている。
【０１２５】
ステインケアアタッチメント１１０は、取付軸３２に取り付けること、および取付軸３２から取り外すことができる。また、取付部分３２Ｆに取り付けられる基台１１１と、基台１１１から上方に向けて突出する研磨部分１１２とを有する。
参考例１の電動歯ブラシにおいては、アタッチメント６０が本体ケース２２に取り付けられているとき、ステインケアアタッチメント１１０がアタッチメント６０内の空間に収容される。そして、アタッチメント６０が本体ケース２２から取り外されたとき、ステインケアアタッチメント１１０の使用が可能になる。
【０１２６】
（電動歯ブラシの参考例２）
参考例１の電動歯ブラシにおいて、ステインケアアタッチメント１１０に代えて、歯の清掃に関連する機能を有する別の機能部材を取付軸３２に設けることもできる。同機能部材の例としては、歯茎マッサージアタッチメント、ポイント磨き歯ブラシ、爪磨き用アタッチメント、歯間ブラシ、歯磨剤チューブ、振動調整用の鐘、および警告音等を出力する音声出力装置が挙げられる。
【０１２７】
（課題を解決するための手段に関する付記）
（付記１）
電源を収容する本体部材と、ブラシ毛が植えられた植毛部分を有する清掃部材とを備え、前記本体部材への前記清掃部材の取り付けおよび前記本体部材からの前記清掃部材の取り外しが可能な電動歯ブラシにおいて、
前記清掃部材を取り付けるための取付軸が前記本体部材に設けられていること、
ならびに、前記取付軸のうちの前記清掃部材に覆われる部分に光源が設けられていること
を特徴とする電動歯ブラシ。
（付記２）
付記１に記載の電動歯ブラシにおいて、
振動源となる振動発生装置が前記本体部材に設けられていること、
ならびに、前記振動発生装置の少なくとも一部が前記取付軸内に設けられていること
を特徴とする電動歯ブラシ。
（付記３）
付記２に記載の電動歯ブラシにおいて、
前記取付軸のうちの前記振動発生装置よりも前記植毛部分に近い部分に前記光源が設けられていること
を特徴とする電動歯ブラシ。
（付記４）
付記１〜３のいずれか一項に記載の電動歯ブラシにおいて、
前記光源が前記植毛部分に向けて光を照射すること
を特徴とする電動歯ブラシ。
（付記５）
付記４に記載の電動歯ブラシにおいて、
前記清掃部材には、前記取付軸の周囲を覆う外壁部分と前記植毛部分とが設けられていること、
ならびに、前記外壁部分のうちの前記植毛部分と前記光源との間の部分に光を透過しやすい透光部材が設けられていること
を特徴とする電動歯ブラシ。
（付記６）
付記５に記載の電動歯ブラシにおいて、
前記ブラシ毛の中心軸および前記本体部材の中心軸と平行な断面を側断面とし、この側断面において前記本体部材の中心線に対して前記ブラシ毛の先端部分が含まれる側を本体前側として、前記外壁部分のうちの前記本体前側の部分に前記透光部材が設けられていること
を特徴とする電動歯ブラシ。
（付記７）
付記６に記載の電動歯ブラシにおいて、
前記外壁部分のうちの前記本体前側の部分には、前記本体部材側から前記植毛部分側に向かうにつれて前記本体部材の中心線に近づくように傾斜する前側傾斜部分が設けられていること
を特徴とする電動歯ブラシ。
（付記８）
付記５〜７のいずれか一項に記載の電動歯ブラシにおいて、
前記光源の光を前記透光部材に向けて反射する反射部材が設けられていること
を特徴とする電動歯ブラシ。
（付記９）
付記１〜８のいずれか一項に記載の電動歯ブラシにおいて、
前記清掃部材を覆うキャップを含むこと、
ならびに、前記ブラシ毛の中心軸および前記本体部材の中心軸と平行な断面を側断面とし、この側断面において前記本体部材の中心線に対して前記ブラシ毛の先端部分が含まれる側を本体前側とし、前記植毛部分のうちの前記ブラシ毛が設けられる面を植毛面として、この植毛面が前記本体前側に設けられていること
を特徴とする電動歯ブラシ。
（付記１０）
付記１〜９のいずれか一項に記載の電動歯ブラシにおいて、
前記清掃部材を覆うキャップを含むこと、
ならびに、前記キャップのうちの前記ブラシ毛の先端面に対向する部分に換気孔が形成されていること
を特徴とする電動歯ブラシ。
【符号の説明】
【０１２８】
１      ：電動歯ブラシ
１０    ：歯ブラシ本体
２０    ：本体装置
２１    ：把持ケース
２２    ：本体ケース（本体部材）
２２Ａ  ：前面
２２Ｂ  ：後面
２２Ｃ  ：把持側シール部材
２２Ｄ  ：本体側シール部材
２３    ：制御基板
２３Ａ  ：スイッチ
２３Ｂ  ：マイコン
２４    ：中継基板
２５    ：接続部材
２６    ：操作部材
２７    ：光源
２８    ：カバー
２８Ａ  ：湾曲部分
２９    ：電池（電源）
３０    ：アウターケース
３０Ａ  ：前面
３０Ｂ  ：後面
３１    ：ケース本体
３２    ：取付軸
３２Ａ  ：先端軸
３２Ｂ  ：中間軸
３２Ｃ  ：基端軸
３２Ｄ  ：開口部分
３２Ｅ  ：頂壁
３２Ｆ  ：取付部分
３３    ：装飾部材
３４    ：段差部分
４０    ：インナーケース
４０Ａ  ：前面
４０Ｂ  ：後面
４１    ：第１取付部分
４２    ：第２取付部分
４３    ：第３取付部分
４４    ：第４取付部分
４５    ：第５取付部分
５０    ：振動発生装置
５１    ：電動モータ
５２    ：出力軸
５３    ：偏心鐘
５４    ：伝達部材
６０    ：アタッチメント（清掃部材）
６１    ：ブラシ毛
６２    ：植毛部分
７０    ：ブラシ柄
７０Ａ  ：先端
７０Ｂ  ：基端
７０Ｃ  ：前面
７０Ｄ  ：後面
７１    ：先端部分
７１Ａ  ：植毛面
７１Ｂ  ：頭背面
７２    ：外壁部分
７２Ａ  ：前側傾斜部分
７２ＡＬ：下側傾斜部分
７２ＡＵ：上側傾斜部分
７２Ｂ  ：後側傾斜部分
７２ＢＬ：下側傾斜部分
７２ＢＵ：上側傾斜部分
７３    ：開口部分
７４    ：嵌合部分
７５    ：突出部分
７６    ：挿入部分
８０    ：透光部材
８１    ：窓部分
８２    ：外部抜止部分
８３    ：内部抜止部分
８３Ａ  ：フック
８４    ：羽根部分
８５    ：嵌合部分
９０    ：キャップ
９１    ：周壁
９２    ：上壁
９３    ：突起
９３Ａ  ：貫通孔
９４    ：換気孔
９５    ：換気孔
９６    ：換気孔
９７    ：換気孔
９８    ：ストラップ
１００  ：反射部材
１１０  ：ステインケアアタッチメント
１１１  ：基台
１１２  ：研磨部分
Ｃ１    ：本体中心線
Ｐ      ：前壁長さ
Ｑ      ：後壁長さ
Ｖ      ：前壁長さ
Ｗ      ：後壁長さ
Ｘ      ：幅方向
Ｙ      ：高さ方向
Ｚ      ：奥行方向
ＴＡ    ：第１動作時間
ＴＢ    ：第２動作時間
ＴＡＸ  ：判定時間
ＴＢＸ  ：判定時間
【図１】
0005827824.tif 000002
【図２】
0005827824.tif 000003
【図３】
0005827824.tif 000004
【図４】
0005827824.tif 000005
【図５】
0005827824.tif 000006
【図６】
0005827824.tif 000007
【図７】
0005827824.tif 000008
【図８】
0005827824.tif 000009